(57)【要約】【課題】  伏せた状態でフロアに載置された遊戯媒体収容箱の上に、出球を収容している同種の遊戯媒体収容箱が重ねられているとき、遊戯者の足や荷物がぶつかっても、出球を収容した遊戯媒体収容箱がずり落ちない遊戯媒体収容箱を提供する。【解決手段】  重ね合わされた遊戯媒体収容箱１の一方の第１のリブＲ１の長手方向の中心線Ｍより外側の面は、他方の第２のリブＲ２の長手方向の中心線Ｍ側の面に当接し、一方の第３のリブＲ３の長手方向の中心線Ｍより外側の面は、他方の第４のリブＲ４の長手方向の中心線Ｍ側の面に当接する。遊戯媒体収容箱１の第１のリブＲ１乃至第４のリブＲ４の両端のエッジＥは、他方の当接面５に当接する。これにより、遊戯媒体収容箱１ａ及び遊戯媒体収容箱１ｂは、位置決めされ長手方向及び短手方向にずれることが防止される。【選択図】図５
2007050101.tif 000002
【特許請求の範囲】
【請求項１】
上面が開口し、内部に遊戯媒体を収容する遊戯媒体収容箱において、
前記遊戯媒体収容箱は、裏面に短手方向に所定の長さを有し長手方向に垂直であり互いに平行になるように形成された少なくとも４つのリブを備え、
第１のリブは、前記裏面の長手方向の中心線から長手方向の外側に第１の所定距離だけ離れた位置に形成され
第２のリブは、前記中心線から前記第１のリブがとは反対の長手方向の外側であって、該中心線から前記第１の所定距離よりも僅かに大きい第２の所定距離だけ離れた位置に形成され、
第３のリブは、前記中心線から前記第２のリブと同じ長手方向の外側であって、該中心線から前記第２の所定距離よりも僅かに大きい第３の所定距離だけ離れた位置に形成され、
第４のリブは、前記中心線から前記第１のリブと同じ長手方向の外側であって、該中心線から前記第３の所定距離よりも僅かに大きい第４の距離だけ離れた位置に形成され、
２つの前記遊戯媒体収容箱を各々の裏面同士が接面するように重ね合わせるとき、一方の遊戯媒体収容箱を１８０度回転させて他方の遊戯媒体収容箱に重ね合わせることにより、一方の前記第１のリブの長手方向内側面は、他方の前記第２のリブの長手方向外側面に当接し、一方の前記第３のリブの長手方向外側面は、他方の前記第４のリブの長手方向内側面に当接し、
一方の前記第１のリブ乃至前記第４のリブの両端部には、他方の前記第１のリブ乃至前記第４のリブの両端部が夫々当接する当接面が夫々のリブと直交して形成されており、重ね合わされた２つの前記遊戯媒体収容箱の位置決めがなされることを特徴とする遊戯媒体収容箱。
【請求項２】
上面が開口し、内部に遊戯媒体を収容する遊戯媒体収容箱において、
前記遊戯媒体収容箱は、裏面の４つの隅のうち対角線上に対向する２つの隅に凸状の脚体が形成され、かつ、残りの２つの隅に裏面から突出し前記凸状の脚体が嵌まり込み得る
枠状の脚体が形成され、
２つの前記遊戯媒体収容箱を各々の裏面同士が接面するように重ね合わせるとき、一方の前記凸状の脚体が他方の前記枠状の脚体に嵌まり込み重ね合わされた２つの前記遊戯媒体収容箱の位置決めがなされることを特徴とする遊戯媒体収容箱。
【請求項３】
上面が開口し、内部に遊戯媒体を収容する遊戯媒体収容箱において、
前記遊戯媒体収容箱は、上面の４つの隅のうち対角線上に対向する２つの隅に突起部が形成され、かつ、残りの２つの隅に上面から突出し前記突起部が嵌まり込み得る枠部が形成され、
２つの前記遊戯媒体収容箱を各々の上面同士が接面するように重ね合わせるとき、一方の前記突起部が他方の前記枠部に嵌まり込み重ね合わされた２つの前記遊戯媒体収容箱の位置決めがなされることを特徴とする遊戯媒体収容箱。
【発明の詳細な説明】
【技術分野】
【０００１】
本発明は、パチンコ遊技場等で顧客が使用する遊戯媒体収容箱に関する。
【背景技術】
【０００２】
パチンコ機で遊戯する遊戯客が入賞することによりパチンコ機から放出された出球は、遊戯媒体収容箱に収容され、顧客の足元近傍のフロアに載置される。遊戯媒体収容箱が出球で満杯になり、さらにパチンコ機から出球が放出されると、出球は別の遊戯媒体収容箱に収容され、既に顧客の足元近傍のフロアに載置されている遊戯媒体収容箱の上に重ねられる。遊戯媒体収容箱は、フロアに積み上げられることにより他の遊戯客やパチンコ遊技場の外にいる通行人の目に留まりやすくなる。
【０００３】
遊戯客は、フロアに出球を収容している遊戯媒体収容箱が載置されているか否かによってパチンコ機の入賞率を判断し、実際に遊戯するか否かを決定することが多いため、店側は、遊戯媒体収容箱を高く積み上げたり、フロアの目立つ位置に遊戯媒体収容箱を載置するなどして入賞率が高いことを遊戯客に印象付けていた。そこで、例えば、特許文献１に示されるように、外観は従来の遊戯媒体収容箱と変わらない程度に遊戯媒体収容箱の裏面が上げ底にされた構成が知られている。この構成によれば、フロアに出球が収容された遊戯媒体収容箱が積み重ねられるに従って、裏面が上げ底にされ分だけ従来の遊戯媒体収容箱が積み重ねられたときより高さが高くなっていくため遊戯客の目に留まりやすくなる。
【０００４】
しかしながら、特許文献１に示される技術においては、出球を収容した遊戯媒体収容箱がフロアに積み重ねられることによって、はじめて従来の従来の遊戯媒体収容箱が積み重ねられたときより高さが高くなるものであり、出球を収容した遊戯媒体収容箱が１箱しかない場合は従来の遊戯媒体収容箱と高さが変わらなかった。そこで、出球を収容している遊戯媒体収容箱が１箱しかない場合であっても、遊戯客の目に留まりやすくするために、出球の入っていない空の遊戯媒体収容箱が出球を収容している遊戯媒体収容箱の台として用いられている。このとき、空の遊戯媒体収容箱は、裏面を上に向け開口している上面をフロアに接するように伏せた状態でフロアに載置され、その上に出球を収容している遊戯媒体収容箱が積み重ねられる。
【０００５】
これにより、出球を収容している遊戯媒体収容箱が１箱しかない場合であっても、遊戯媒体収容箱は、２箱分積み重ねられた高さになるため遊戯客の目に留まりやすくなる。しかし、遊戯媒体収容箱の裏面は平坦であるため、遊戯者の足や荷物がぶつかることにより、伏せた状態でフロアに載置された遊戯媒体収容箱の上に重ねられた出球を収容している遊戯媒体収容箱がずれてフロアに落下し、収容された出球がフロアに散乱することが問題となっていた。    
【特許文献１】登録実用新案第３０７５９７６号
【発明の開示】
【発明が解決しようとする課題】
【０００６】
本発明は、上記従来例の問題を解決するためになされたものであり、一種類の収納箱だけを用いて伏せた状態でフロアに載置された遊戯媒体収容箱の上に、出球を収容している遊戯媒体収容箱が重ねられているとき、遊戯者の足や荷物が、伏せた状態でフロアに載置された遊戯媒体収容箱や、その上に重ねられている出球を収容した遊戯媒体収容箱にぶつかっても、出球を収容した遊戯媒体収容箱が、伏せた状態でフロアに載置された遊戯媒体収容箱からずり落ちない遊戯媒体収容箱を提供することを目的とする。
【課題を解決するための手段】
【０００７】
上記目的を達成するために請求項１の発明は、上面が開口し、内部に遊戯媒体を収容する遊戯媒体収容箱において、遊戯媒体収容箱は、裏面に短手方向に所定の長さを有し長手方向に垂直であり互いに平行になるように形成された少なくとも４つのリブを備え、
第１のリブは、裏面の長手方向の中心線から長手方向の外側に第１の所定距離だけ離れた位置に形成され第２のリブは、中心線から第１のリブがとは反対の長手方向の外側であって、中心線から第１の所定距離よりも僅かに大きい第２の所定距離だけ離れた位置に形成され、第３のリブは、中心線から第２のリブと同じ長手方向の外側であって、中心線から第２の所定距離よりも僅かに大きい第３の所定距離だけ離れた位置に形成され、第４のリブは、中心線から第１のリブと同じ長手方向の外側であって、中心線から第３の所定距離よりも僅かに大きい第４の距離だけ離れた位置に形成され、２つの遊戯媒体収容箱を各々の裏面同士が接面するように重ね合わせるとき、一方の遊戯媒体収容箱を１８０度回転させて他方の遊戯媒体収容箱に重ね合わせることにより、一方の第１のリブの長手方向内側面は、他方の第２のリブの長手方向外側面に当接し、一方の第３のリブの長手方向外側面は、他方の第４のリブの長手方向内側面に当接し、一方の第１のリブ乃至第４のリブの両端部には、他方の第１のリブ乃至第４のリブの両端部が夫々当接する当接面が夫々のリブと直交して形成されており、重ね合わされた２つの遊戯媒体収容箱の位置決めがなされるようにしたものである。
【０００８】
また、請求項２の発明は、上面が開口し、内部に遊戯媒体を収容する遊戯媒体収容箱において、遊戯媒体収容箱は、裏面の４つの隅のうち対角線上に対向する２つの隅に凸状の脚体が形成され、かつ、残りの２つの隅に裏面から突出し凸状の脚体が嵌まり込み得る枠状の脚体が形成され、２つの遊戯媒体収容箱を各々の裏面同士が接面するように重ね合わせるとき、一方の凸状の脚体が他方の枠状の脚体に嵌まり込み重ね合わされた２つの遊戯媒体収容箱の位置決めがなされるようにしたものである。
【０００９】
また、請求項３の発明は、上面が開口し、内部に遊戯媒体を収容する遊戯媒体収容箱において、遊戯媒体収容箱は、上面の４つの隅のうち対角線上に対向する２つの隅に突起部が形成され、かつ、残りの２つの隅に上面から突出し突起部が嵌まり込み得る枠部が形成され、２つの遊戯媒体収容箱を各々の上面同士が接面するように重ね合わせるとき、一方の突起部が他方の枠部に嵌まり込み重ね合わされた２つの遊戯媒体収容箱の位置決めがなされるようにしたものである。
【発明の効果】
【００１０】
請求項１の発明によれば、一種類の２つの遊戯媒体収容箱のうち、一方の遊戯媒体収容箱の方向を１８０度回転させて裏面同士が接面するように重ね合わせることにより、一方の第１のリブの長手方向の内側の面が重ね合わされた他方の遊戯媒体収容箱の第２のリブの長手方向の外側の面に当接し、一方の第３のリブの長手方向の外側の面が重ね合わされた他方の遊戯媒体収容箱の第４のリブの長手方向の内側の面に当接するため、重ね合わされた互いの遊戯媒体収容箱が長手方向にずれることが防止される。また、第１のリブ乃至第４のリブの両端が、重ね合わされた他方の遊戯媒体収容箱の第１のリブ乃至第４のリブの両端の当接面に当接するため、互いの遊戯媒体収容箱が短手方向にずれることが防止される。これにより、上に重ねられた遊戯媒体収容箱が、伏せた状態でフロアに載置された遊戯媒体収容箱からずり落ちることがなくなる。
【００１１】
請求項２の発明によれば、一種類の２つの遊戯媒体収容箱の裏面同士が接面するように重ね合わせるとき、一方の凸状の脚体が重ね合わされた他方の枠状の脚体に嵌まり込む。これにより、重ね合わされた互いの遊戯媒体収容箱は、長手方向及び短手方向にずれないため、上に重ねられた遊戯媒体収容箱が、伏せた状態でフロアに載置された遊戯媒体収容箱からずり落ちることがなくなる。
【００１２】
請求項３の発明によれば、一種類の２つの遊戯媒体収容箱の上面同士が接面するように重ね合わせるとき、一方の突起部が重ね合わされた他方の枠部に嵌まり込む。これにより、重ね合わされた互いの遊戯媒体収容箱は、長手方向及び短手方向にずれないため、伏せた状態で上に重ねられた空の遊戯媒体収容箱が、上面を上に向けてフロアに載置された遊戯媒体収容箱からずり落ちることがなくなる。また、出球を収容している下側の遊戯媒体収容箱に伏せた状態で上に重ねられた空の遊戯媒体収容箱が、下側の遊戯媒体収容箱の蓋として機能するため、下側の遊戯媒体収容箱に異物が入り込むことが防止されると共に、収容された出球が盗難されにくくなる。
【発明を実施するための最良の形態】
【００１３】
以下、本発明の第１の実施形態に係る遊戯媒体収容箱について、図面を参照して説明する。図１は、本発明の第１の実施形態に係る遊戯媒体収容箱の構成を示す。遊戯媒体収容箱１は、パチンコ機からの出球を収容するために上面２が開口しており、上面２の対向する辺に遊戯者が遊戯媒体収容箱１を持ち運ぶための取手３を備える。遊戯媒体収容箱１は、透明プラスチック材や透明樹脂などにより略直方体に形成されてあり、取手３は、上面２の対向する短い辺の外側に形成されている。また、上面２の縁は、遊戯媒体収容箱１に一定の強度を持たせるため遊戯媒体収容箱１の外側へ張り出すように形成されている。
【００１４】
図２（ａ），（ｂ）は、遊戯媒体収容箱１の側面の形状を示す。図２（ａ）は、遊戯媒体収容箱１を長手方向から見た側面を示し、図２（ｂ）は、遊戯媒体収容箱１を短手方向から見た側面を示す。図２（ａ）において、遊戯媒体収容箱１の裏面４には、裏面４から突出する第１のリブＲ１、第２のリブＲ２、第３のリブＲ３、及び第４のリブＲ４が形成されている。第１のリブＲ１乃至第４のリブＲ４は、裏面４から突出する高さが同じであり、短手方向に所定の長さを有するように形成されている。また、それぞれのリブは、遊戯媒体収容箱１の長手方向に垂直であり、互いのリブが平行となるように形成されている。
【００１５】
第１のリブＲ１は、図２（ａ）に示す遊戯媒体収容箱１の長手方向の中心線Ｍから第１の所定の距離Ｌ１が離れた位置に形成され、第２のリブＲ２は、中心線Ｍを境として前記第１のリブが形成されたのとは反対の長手方向の外側であって、中心線Ｍから第２の所定の距離Ｌ２が離れた位置に形成され、第３のリブＲ３は、中心線Ｍを境として前記第２のリブが形成されたのと同じ長手方向の外側であって、中心線Ｍから第３の所定の距離Ｌ３が離れた位置に形成され、第４のリブＲ４は、中心線Ｍを境として前記第１のリブが形成されたのと同じ長手方向の外側であって、中心線Ｍから第４の所定の距離Ｌ４が離れた位置に形成されている。また、第２の所定の距離Ｌ２は第１の所定の距離Ｌ１より長く、第３の所定の距離Ｌ３は第２の所定の距離Ｌ２より長く、第４の所定の距離Ｌ４は第３の所定の距離Ｌ３より長くように形成されている。
【００１６】
図２（ｂ）において、遊戯媒体収容箱１のリブは、例えば第４のリブＲ４とする。第４のリブＲ４は、遊戯媒体収容箱１の裏面４に短手方向に所定の長さを有し、第４のリブＲ４の左右には、第４のリブＲ４の短手方向の左右のエッジＥから遊戯媒体収容箱１の裏面４の短手方向の縁まで所定の長さＬ５を残すように形成されている。また、第１のリブＲ１乃至第３のリブＲ３も第４のリブＲ４と同様に、各リブの左右に所定の長さＬ５を残すように形成されている。
【００１７】
図３は、２つの同じ遊戯媒体収容箱１（１ａ，１ｂ）の裏面４同士を嵌合させる状態を示す。出球を収容しておらず、上面２を下にした伏せた状態でパチンコ遊技場のフロアに載置された下側の遊戯媒体収容箱１を遊戯媒体収容箱１ｂとし、遊戯媒体収容箱１ｂの上に重ねられた上側の遊戯媒体収容箱１を遊戯媒体収容箱１ａとする。出球を収容しておらず、上面２を下にした伏せた状態でパチンコ遊技場のフロアに載置された下側の遊戯媒体収容箱１ｂの上に、裏面４を下側にした遊戯媒体収容箱１ａが重ねられる。遊戯媒体収容箱１（１ａ，１ｂ）は、裏面４に形成された第１のリブＲ１乃至第４のリブＲ４の左右に夫々のリブと直交する当接面５が形成されている。遊戯媒体収容箱１ａに形成された当接面５は、遊戯媒体収容箱１ａ，１ｂの裏面４同士が嵌合する状態で重ね合わされたとき、遊戯媒体収容箱１ｂの第１のリブＲ１乃至第４のリブＲ４の両端のエッジＥと当接する。なお、当接面５は、裏面４に凹部を設けることで形成されてもよく、また、第１のリブＲ１乃至第４のリブＲ４の左右の根元に、各リブが裏面４から突出した高さより高くならない突起部を設けることにより形成されてもよい。
【００１８】
図４は、２つの同じ遊戯媒体収容箱１（１ａ，１ｂ）の裏面４同士を嵌合させた状態を示す。通常、遊戯媒体収容箱１ａには出球（図示しない）が収容されている。ここで、遊戯媒体収容箱１ａと遊戯媒体収容箱１ｂは、長手方向の向きを逆にして重ねられている。ここで、遊戯媒体収容箱１ａと遊戯媒体収容箱１ｂの長手方向の向きを逆にするのは、遊戯媒体収容箱１ａの第１のリブＲ１乃至第４のリブＲ４と遊戯媒体収容箱１ｂの第１のリブＲ１乃至第４のリブＲ４の先端部分同士が当接することを回避するためである。互いの第１のリブＲ１乃至第４の先端部分同士を当接させないことで、遊戯媒体収容箱１ａと遊戯媒体収容箱１ｂとが嵌合せず安定性が悪くなることを防止することができる。遊戯媒体収容箱１ｂの上に出球を収容した遊戯媒体収容箱１ａを重ねることにより、出球を収容した遊戯媒体収容箱１が１箱しかない場合であっても、遊戯媒体収容箱１の高さが高くなるため他の遊戯客やパチンコ遊技場の外にいる通行人の目に留まりやすくなる。
【００１９】
図５は、図４におけるＡ−Ａ線断面を示す。第１のリブＲ１乃至第４のリブＲ４は、それぞれ中心線Ｍから異なる距離をおいて形成されているため、遊戯媒体収容箱１ａと遊戯媒体収容箱１ｂが嵌合することができる。ここで、第１の所定の距離Ｌ１と第２の所定の距離Ｌ２は、遊戯媒体収容箱１ａの第１のリブＲ１の中心線Ｍから長手方向外側の面と遊戯媒体収容箱１ｂの第２のリブＲ２の長手方向の中心線Ｍ側の面とが当接するように設定されることが望ましい。同様に、第３の所定の距離Ｌ３と第４の所定の距離Ｌ４は、遊戯媒体収容箱１ａの第３のリブＲ３の中心線Ｍから長手方向外側の面と遊戯媒体収容箱１ｂの第４のリブＲ４の長手方向の中心線Ｍ側の面とが当接するように設定されることが望ましい。
【００２０】
これにより、２つの遊戯媒体収容箱１ａ，１ｂの裏面４同士を重ね合わせたとき、一方の第１のリブＲ１と第４のリブＲ４の間に、他方の第２のリブＲ２と第３のリブＲ３が嵌り込む。そして、一方の第１のリブＲ１の中心線Ｍから長手方向の外側の面は、他方の第２のリブＲ２の長手方向の中心線Ｍ側の面に当接し、一方の第３のリブＲ３の中心線Ｍから長手方向の外側の面は、他方の第４のリブＲ４の長手方向の中心線Ｍ側の面に当接するため、遊戯媒体収容箱１ａ及び遊戯媒体収容箱１ｂが長手方向にずれることが防止される。なお、第１のリブＲ１と第４のリブＲ４の間隔の方が、第２のリブＲ２と第３のリブＲ３の間隔より狭くなっていて、上記嵌まり込みの関係が逆になってもよい。
【００２１】
図６は、図４におけるＢ−Ｂ線断面を示す。ここで、遊戯媒体収容箱１ａのリブは、例えば第１のリブＲ１とする。遊戯媒体収容箱１ａの第１のリブＲ１の両端のエッジＥは、遊戯媒体収容箱１ｂの当接面５に当接する。また、遊戯媒体収容箱１ａの第２のリブＲ２乃至第４のリブＲ４の両端のエッジＥも遊戯媒体収容箱１ａの第１のリブＲ１と同様に遊戯媒体収容箱１ｂの当接面５に当接するように形成されている。さらに、遊戯媒体収容箱１ｂの第１のリブＲ１乃至第４のリブＲ４の両端のエッジＥは、遊戯媒体収容箱１ａの当接面５に当接するように形成されている。これにより、遊戯媒体収容箱１ａ及び遊戯媒体収容箱１ｂは位置決めされ、短手方向にずれることが防止される。
【００２２】
次に、本発明の第２の実施形態に係る遊戯媒体収容箱について、図面を参照して説明する。図７は、２つの同じ遊戯媒体収容箱１（１ａ，１ｂ）の裏面４同士を嵌合させる状態を示す。遊戯媒体収容箱１は、裏面４の４つの隅の対角線上に対向する２つの隅に凸状の脚体６と、残りの２つの隅に裏面４から突出した枠状の脚体７が形成されている。凸状の脚体６の形状は円柱型である。枠状の脚体７は、形状が円筒であり、重ね合わされる凸状の脚体６が嵌合するために先端部分が開口した枠となるように形成されている。また、裏面４から突出した凸状の脚体６及び枠状の脚体７の高さは、同じ高さになるように形成されている。
【００２３】
上面２を下にした伏せた状態でパチンコ遊技場のフロアに載置された下側の遊戯媒体収容箱１ｂの上に、裏面４同士が接面するように遊戯媒体収容箱１ａを重ね合わせることで、一方の凸状の脚体６が他方の枠状の脚体７に嵌合する。これにより、遊戯媒体収容箱１ａ及び遊戯媒体収容箱１ｂは、位置決めされ長手方向及び短手方向にずれることが防止される。
【００２４】
次に、本発明の第３の実施形態に係る遊戯媒体収容箱について、図面を参照して説明する。図８は、２つの同じ遊戯媒体収容箱１（１ａ，１ｂ）の上面２同士を嵌合させる状態を示す。遊戯媒体収容箱１は、上面２の縁が遊戯媒体収容箱１の外側に張り出した部分であって、４つの隅の対角線上に対向する２つの隅に突起部８と、残りの２つの隅に上面２から突出した枠部９が形成されている。突起部８の形状は円柱型である。枠部９は、形状が円柱であり、重ね合わされる突起部８が嵌合するために先端部分が開口した枠となるように形成されている。また、上面２から突出した突起部８及び枠部９の高さは、同じ高さになるように形成されている。
【００２５】
裏面４がパチンコ遊技場のフロアに接面する状態で載置された下側の遊戯媒体収容箱１ｂの上に、上面２同士が接面するように遊戯媒体収容箱１ａを重ね合わせることで、一方の突起部８が他方の枠状の枠部９に嵌合する。これにより、遊戯媒体収容箱１ａ及び遊戯媒体収容箱１ｂは、長手方向及び短手方向にずれることが防止される。また、出球を収容している下側の遊戯媒体収容箱１ｂに伏せた状態で上に重ねられた空の遊戯媒体収容箱１ａが、下側の遊戯媒体収容箱１ｂの蓋として機能するため、下側の遊戯媒体収容箱１ｂに異物が入り込むことが防止されると共に、収容された出球が盗難されにくくなる。
【００２６】
以上のように本発明の第１の実施形態の遊戯媒体収容箱１においては、一種類の収納箱を２つ重ね合わせたとき、一方の第１のリブＲ１の中心線Ｍから長手方向の外側の面は、他方の第２のリブＲ２の長手方向の中心線Ｍ側の面に当接し、一方の第３のリブＲ３の中心線Ｍから長手方向の外側の面は、他方の第４のリブＲ４の長手方向の中心線Ｍ側の面に当接する。さらに、遊戯媒体収容箱１ａの第１のリブＲ１乃至第４のリブＲ４の両端のエッジＥは、遊戯媒体収容箱１ｂの当接面５に当接し、遊戯媒体収容箱１ｂの第１のリブＲ１乃至第４のリブＲ４の両端のエッジＥは、遊戯媒体収容箱１ａの当接面５に当接する。これにより、遊戯媒体収容箱１ａ及び遊戯媒体収容箱１ｂは、長手方向及び短手方向にずれないため、遊戯媒体収容箱１ａが遊戯媒体収容箱１ｂからずり落ちることによって収容された出球がフロアに散乱することが防止される。
【００２７】
また、本発明の第２の実施形態の遊戯媒体収容箱１においては、同種の遊戯媒体収容箱１ｂの上に遊戯媒体収容箱１ａを裏面４同士が接面するように重ね合わせることで、一方の凸状の脚体６が他方の枠状の脚体７に嵌合する。これにより、遊戯媒体収容箱１ａ及び遊戯媒体収容箱１ｂは、長手方向及び短手方向にずれないため、遊戯媒体収容箱１ａが遊戯媒体収容箱１ｂからずり落ちることによって収容された出球がフロアに散乱することが防止される。  
【００２８】
また、本発明の第３の実施形態の遊戯媒体収容箱１においては、同種の遊戯媒体収容箱１ｂの上に遊戯媒体収容箱１ａを上面２同士が接面するように重ね合わせることで、一方の突起部８が他方の枠状の枠部９に嵌合する。これにより、遊戯媒体収容箱１ａ及び遊戯媒体収容箱１ｂは、長手方向及び短手方向にずれることが防止される。また、出球を収容している下側の遊戯媒体収容箱１ｂに伏せた状態で上に重ねられた空の遊戯媒体収容箱１ａが、下側の遊戯媒体収容箱１ｂの蓋として機能するため、下側の遊戯媒体収容箱１ｂに異物が入り込むことが防止されると共に、収容された出球が盗難されにくくなる。
【００２９】
なお、本発明は、上記各種実施形態の構成に限られず、発明の趣旨を変更しない範囲で種々の変形が可能である。例えば、遊戯媒体収容箱１は、パチンコ機の出球を収容するだけでなく、スロットマシンのコインを収容してもよい。また、凸状の脚体６及び突起部８の形状は、円柱及び円筒に限られず四角柱及び筒であってもよい。
【図面の簡単な説明】
【００３０】
【図１】本発明の第１の実施形態に係る遊戯媒体収容箱の構成を示す斜視図。
【図２】（ａ）（ｂ）はそれぞれ同遊戯媒体収容箱の側面の形状を示す側面図。
【図３】同遊戯媒体収容箱１の裏面同士を嵌合させる状態を示す斜視図。
【図４】同遊戯媒体収容箱１の裏面同士を嵌合させた状態を示す斜視図。
【図５】図４におけるＡ−Ａ線断面図。
【図６】図４におけるＢ−Ｂ線断面図。
【図７】本発明の第２の実施形態に係る遊戯媒体収容箱の裏面同士を嵌合させる状態を示す斜視図。
【図８】本発明の第３の実施形態に係る遊戯媒体収容箱の上面同士を嵌合させる状態を示す斜視図。
【符号の説明】
【００３１】
１  遊戯媒体収容箱
２  上面
４  裏面
５  当接面
６  凸状の脚体
７  枠状の脚体
８  突起部
９  枠部
Ｍ  中心線
Ｒ１  第１のリブ
Ｒ２  第２のリブ
Ｒ３  第３のリブ
Ｒ４  第４のリブ
Ｌ１  第１の所定の距離
Ｌ２  第２の所定の距離
Ｌ３  第３の所定の距離
Ｌ４  第４の所定の距離
【図１】
2007050101.tif 000003
【図２】
2007050101.tif 000004
【図３】
2007050101.tif 000005
【図４】
2007050101.tif 000006
【図５】
2007050101.tif 000007
【図６】
2007050101.tif 000008
【図７】
2007050101.tif 000009
【図８】
2007050101.tif 000010